(57)【要約】【課題】２層ＤＶＤ−ＲＷの消去パワー学習方法として推奨されている「２ｓｔｅｐ−Ｋｅ法」は、記録前にディスクメーカー推奨の固定消去パワーで記録を行い（下地記録）、この下地記録領域に対して消去パワーを段階的に変えて上書き消去し、それぞれの消去品質から最適な消去パワーを決定している。しかしながら、この方式では固定値パワーで下地記録を行っているため、実際の記録領域の下地記録品質が異なる場合、消去パワー学習結果が最適値より誤差が生じるといった課題がある。【解決手段】本願発明は、上記課題を解決するものであり、試し書き領域にターゲット記録領域の記録品質を再現させ、消去パワー学習を行うことにより実記録先の下地品質に応じた最適な消去パワーを決定することができる。  【選択図】図２
2010015609.tif 000002
【特許請求の範囲】
【請求項１】
情報記録ディスクから読み出された信号を検出するＲＦ信号検出手段と、前記ディスクが記録済みか未記録かを判別する未記録・記録判別手段と、前記ＲＦ信号検出手段で検出された値より変調度を算出する変調度演算手段と、消去パワーＯＰＣ時の下地記録パワーを算出する下地記録パワー演算手段と、レーザーパワーを階段状に出力する階段発光処理手段と、適切な記録パワーを決定する最適記録パワー演算手段と、を備え、
下地記録領域の記録品質をデータ記録する領域の記録品質に合わせた状態で消去パワーＯＰＣを行うことを特徴とする、情報記録ディスクの信号処理装置。
【請求項２】
前記下地記録パワー演算手段は、データ記録する領域の記録開始箇所の変調度を使用することによりデータ領域の記録品質を下地記録領域に再現することを特徴とする請求項１記載の信号処理装置。
【請求項３】
前記下地記録パワー演算手段は、データ記録する領域を分割し、前記分割した領域（Ｚｏｎｅ）それぞれの変調度を測定してプロファイル化することによりデータ領域の記録品質を下地記録領域に再現することを特徴とする請求項１記載の信号処理装置。
【請求項４】
前記下地記録パワー演算手段は、データ記録する領域を分割し、前記分割した領域（Ｚｏｎｅ）それぞれの変調度を測定して平均化することによりデータ領域の記録品質を下地記録領域に再現することを特徴とする請求項１記載の信号処理装置。
【請求項５】
前記下地記録パワー演算手段は、データ記録する領域を分割し、前記分割した領域（Ｚｏｎｅ）それぞれの変調度を測定して近似式化することによりデータ領域の記録品質を下地記録領域に再現することを特徴とする請求項１記載の信号処理装置。
【請求項６】
データ記録する領域の分割（Ｚｏｎｅ）をディスクの管理領域の情報をもとに行うことを特徴とする請求項３乃至５記載の信号処理装置。
【請求項７】
前記下地記録パワー演算手段は、前記変調度演算手段と前記階段発光処理手段より算出される変調度とパワーの関係式を用いることによりデータ領域の記録品質を下地記録領域に再現することを特徴とする請求項１記載の信号処理装置。
【請求項８】
下地記録領域を形成せずデータ領域にて消去パワーＯＰＣを実施することを特徴とする請求項１記載の信号処理装置。
【請求項９】
請求項１乃至８記載のいずれかの信号処理装置と、
前記ディスク上で情報の記録再生を行う光ピックアップとを備える光ディスク装置。
【請求項１０】
請求項２乃至８のいずれかの信号処理装置を備えた光ディスク装置と、
駆動状態がＡＣ電源駆動状態かバッテリー駆動状態かを判別する駆動電源判別手段と、
バッテリー駆動状態の場合、バッテリーの残量を測定するバッテリー残量確認手段と、
処理を切り替えるバッテリー残量の閾値を記憶しておく記憶手段と、
を備えた記録再生装置であって、
前記駆動電源判別手段は、前記記録再生装置の電源状態がＡＣ電源駆動状態か、バッテリー駆動状態かを判別し、請求項２乃至８の信号処理装置における信号処理を選択することを特徴とする記録再生装置。
【請求項１１】
請求項２乃至８のいずれかの信号処理装置を備えた光ディスク装置と、
録画設定が予約録画か即時録画かを判別する録画設定判別手段と、
２つの処理のうちどちらの処理を実行するかを記憶しておく記憶手段と、
を備えた記録再生装置であって、
前記録画設定判別手段は、録画設定が予約録画か即時録画かを判別し、請求項２乃至８の信号処理装置における信号処理を選択することを特徴とする記録再生装置。
【請求項１２】
請求項２乃至７のいずれかの信号処理装置を備えた光ディスク装置と、
前記ディスクから読み取ったＩＤと変調度と消去パワーＯＰＣ結果と変調度・パワー関係式とを保存しておく記憶手段と、
前記ディスクの管理領域に記載されてあるディスクＩＤ情報を検出するディスクＩＤ情報判別手段と、
を備えた記録再生装置であって、
前記ディスクＩＤ情報判別手段は、前記ディスクの管理領域に記載されてあるディスクＩＤ情報を検出し、請求項２乃至７の信号処理装置における信号処理の実施の有無を判別することを特徴とする記録再生装置。
【請求項１３】
請求項２乃至７のいずれかの信号処理装置を備えた光ディスク装置と、
変調度と消去パワーＯＰＣ結果と変調度・パワー関係式とを保存しておく記憶手段と、
前記ディスクの装着、抜き出しの有無を検出するディスク着脱情報判別手段と、
を備えた記録再生装置であって、
前記ディスク着脱情報判別手段は、トレイのオープンクローズによりディスクの着脱の有無を判別し、請求項２乃至７の信号処理装置における信号処理を選択することを特徴とする記録再生装置。
【請求項１４】
請求項２乃至７のいずれかの信号処理装置を備えた光ディスク装置と、
前記ディスクの経年劣化に伴う前記ディスクの有効期限を判別する有効期限判別手段と、
前記ディスクから読み取ったＩＤと変調度と消去パワーＯＰＣ結果と変調度・パワー関係式と前記ディスクの有効期限を保存しておく記憶手段と、
を備えた記録再生装置であって、
前記有効期限判別手段は、前記ディスクの経年劣化に伴う前記ディスクの有効期限を検出して請求項７記載の信号処理装置における変調度とパワー関係式を再計算するかしないかを判別することを特徴とする記録再生装置。
【請求項１５】
温度測定手段と請求項２乃至７のいずれかの信号処理装置とを備えた光ディスク装置と、
前記ディスクから読み取ったＩＤと変調度と消去パワーＯＰＣ結果と変調度・パワー関係式と前記温度測定手段で測定した消去パワーＯＰＣ時の温度を保存しておく記憶手段と、
前記温度測定手段からの温度情報により記録再生装置の制御方法を決定する温度判別手段と、
を備えた記録再生装置であって、
前記温度判別手段は、前記温度測定手段からの温度情報により請求項２乃至６記載の信号処理装置における変調度の測定の実施の有無、または、請求項７記載の信号処理装置における変調度とパワー関係式を再計算の有無を判別することを特徴とする記録再生装置。
【請求項１６】
情報記録ディスクから読み出されたＲＦ信号から前記ディスクが記録済みか未記録かを判別する未記録・記録判別ステップと、前記ＲＦ信号から変調度を算出する変調度演算ステップと、消去パワーＯＰＣ時の下地記録パワーを算出する下地記録パワー演算ステップと、レーザーパワーを階段状に出力する階段発光処理ステップと、適切な記録パワーを決定する最適記録パワー演算ステップと、を備え、
下地記録領域の記録品質をデータ記録する領域の記録品質に合わせた状態で消去パワー
ＯＰＣを行うことを特徴とする、情報記録ディスクの信号処理方法。
【発明の詳細な説明】
【技術分野】
【０００１】
本発明は光ディスクに代表される情報記録ディスクの信号処理を行う信号処理装置および信号処理方法、また、それらディスクを記録再生する光ディスク装置および記録再生装置に関し、ＤＶＤ−ＲＷ、ＤＶＤ＋ＲＷ等に代表される書き換え可能型ディスク、特に多層型の書き換え可能型ディスクにおける記録時の消去パワーを最適化する装置および方法に関する。
【背景技術】
【０００２】
光ディスク装置における書き換え可能型ディスクの記録時の消去パワーを最適化する方法が特許文献１で出願されている。従来の消去パワー調整（以下消去パワーＯＰＣ［Ｏｐｔｉｍｕｍ  Ｐｏｗｅｒ  Ｃｏｎｔｒｏｌ］）は、記録前にディスクメーカー推奨の固定の記録パワー（図５  ５０１）と消去パワー（図５  ５０２）で記録を行い（下地記録）、この下地記録した領域に対して図５（ｂ）に示すように消去パワーをセクタごとに段階的に変えて上書き消去し（以下、階段消去）、それぞれのセクタの図５（ｃ）の式で表される変調度から最適な消去パワーを決定している。次に、消去パワーＯＰＣと同様に記録パワーをセクタごとに段階的に変えて記録し（階段記録）、最適な記録パワー（記録パワーＯＰＣ）を求める。このときの消去パワーは最適消去パワーを使用する。最適消去パワー、最適記録パワーが求まったらデータ記録を行う。（図８従来例フロー図を参照。）
【特許文献１】特開２００５−１２２７９３号公報
【発明の開示】
【発明が解決しようとする課題】
【０００３】
しかしながら、前記の方式ではディスクメーカー推奨の固定記録パワー・消去パワーで下地記録を行っており、記録済みのデータ領域に上書きする場合、実際のデータ領域と下地記録品質が異なるため消去パワーＯＰＣ結果が最適値にならないという課題があった。
【０００４】
本発明は上記従来の課題を解決するものであり、実際のデータ記録領域に上書きする場合でも最適な消去パワーＯＰＣ結果が求まる信号処理装置を提供することを目的とする。
【課題を解決するための手段】
【０００５】
上記目的を達成するために、本発明は、情報記録ディスクから読み出された信号を検出するＲＦ信号検出手段と、前記ディスクが記録済みか未記録かを判別する未記録・記録判別手段と、前記ＲＦ信号検出手段で検出された値より変調度を算出する変調度演算手段と、消去パワーＯＰＣ時の下地記録パワーを算出する下地記録パワー演算手段と、レーザーパワーを階段状に出力する階段発光処理手段と、適切な記録パワーを決定する最適記録パワー演算手段と、を備えた信号処理装置であり、下地記録領域の記録品質をデータ記録する領域の記録品質に合わせた状態で消去パワーＯＰＣを行うようにした。
【０００６】
また、本発明では、前記下地記録パワー演算手段は、データ記録する領域の記録開始箇所の変調度を使用することによりデータ領域の記録品質を下地記録領域に再現するようにした。
【０００７】
また、本発明では、前記下地記録パワー演算手段は、データ記録する領域を分割し、前記分割した領域（Ｚｏｎｅ）それぞれの変調度を測定してプロファイル化することによりデータ領域の記録品質を下地記録領域に再現するようにした。
【０００８】
また、本発明では、前記下地記録パワー演算手段は、データ記録する領域を分割し、前
記分割した領域（Ｚｏｎｅ）それぞれの変調度を測定して平均化することによりデータ領域の記録品質を下地記録領域に再現するようにした。
【０００９】
また、本発明では、前記下地記録パワー演算手段は、データ記録する領域を分割し、前記分割した領域（Ｚｏｎｅ）それぞれの変調度を測定して近似式化することによりデータ領域の記録品質を下地記録領域に再現するようにした。
【００１０】
また、本発明では、データ記録する領域の分割（Ｚｏｎｅ）をディスクの管理領域の情報をもとに行うようにした。
【００１１】
また、本発明では、前記下地記録パワー演算手段は、前記変調度演算手段と前記階段発光処理手段より算出される変調度とパワーの関係式を用いることによりデータ領域の記録品質を下地記録領域に再現するようにした。
【００１２】
また、本発明では、下地記録領域を形成せずデータ領域にて消去パワーＯＰＣを実施するようにした。
【００１３】
また、本発明は、前記記載の信号処理装置と、前記ディスク上で情報の記録再生を行う光ピックアップと、駆動状態がＡＣ電源駆動状態かバッテリー駆動状態かを判別する駆動電源判別手段と、バッテリー駆動状態の場合、バッテリーの残量を測定するバッテリー残量確認手段と、処理を切り替えるバッテリー残量の閾値を記憶しておく記憶手段と、を備えた記録再生装置であって、前記駆動電源判別手段は、前記記録再生装置の電源状態がＡＣ電源駆動状態か、バッテリー駆動状態かを判別し、前記記載のデータ領域の記録品質を下地記録領域に再現する方法を選択するようにした。
【００１４】
また、本発明は、前記記載の信号処理装置と、前記ディスク上で情報の記録再生を行う光ピックアップと、録画設定が予約録画か即時録画かを判別する録画設定判別手段と、２つの処理のうちどちらの処理を実行するかを記憶しておく記憶手段と、を備えた記録再生装置であって、前記録画設定判別手段は、録画設定が予約録画か即時録画かを判別し、前記記載のデータ領域の記録品質を下地記録領域に再現する方法を選択するようにした。
【００１５】
また、本発明は、前記記載の信号処理装置と、前記ディスク上で情報の記録再生を行う光ピックアップと、前記ディスクから読み取ったＩＤと変調度と変調度・パワー関係式を保存しておく記憶手段と、前記ディスクの管理領域に記載されてあるディスクＩＤ情報を検出するディスクＩＤ情報判別手段と、を備えた記録再生装置であって、前記ディスクＩＤ情報判別手段は、前記ディスクの管理領域に記載されてあるディスクＩＤ情報を検出し、前記記載のデータ領域の記録品質を下地記録領域に再現する方法を選択するようにした。
【００１６】
また、本発明は、前記記載の信号処理装置と、前記ディスク上で情報の記録再生を行う光ピックアップと、変調度と変調度・パワー関係式を保存しておく記憶手段と、前記ディスクの装着、抜き出しの有無を検出するディスク着脱情報判別手段と、を備えた記録再生装置であって、前記ディスク着脱情報判別手段は、トレイのオープンクローズによりディスクの着脱の有無を判別し、前記記載のデータ領域の記録品質を下地記録領域に再現する方法を選択するようにした。
【００１７】
また、本発明は、前記記載の信号処理装置と、前記ディスク上で情報の記録再生を行う光ピックアップと、前記ディスクの経年劣化に伴う前記ディスクの有効期限を判別する有効期限判別手段と、前記ディスクから読み取ったＩＤと変調度と変調度・パワー関係式と前記ディスクの有効期限を保存しておく記憶手段と、を備えた記録再生装置であって、前
記有効期限判別手段は、前記ディスクの経年劣化に伴う前記ディスクの有効期限を検出して前記記載の変調度とパワー関係式を再計算するかしないかを判別するようにした。
【００１８】
また、本発明は、前記記載の信号処理装置と、前記ディスク上で情報の記録再生を行う光ピックアップと、光ピックアップの温度を測定する温度測定手段と、前記ディスクから読み取ったＩＤと変調度と変調度・パワー関係式と前記温度測定手段で測定した消去パワーＯＰＣ時の温度を保存しておく記憶手段と、前記温度測定手段からの温度情報により記録再生装置の制御方法を決定する温度判別手段と、を備えた記録再生装置であって、前記温度判別手段は、前記温度測定手段からの温度情報により前記記載の変調度の測定の実施の有無、前記記載の変調度とパワー関係式を再計算の有無を判別するようにした。
【発明の効果】
【００１９】
本発明によれば、情報記録ディスクから読み出された信号を検出するＲＦ信号検出手段と、前記ディスクが記録済みか未記録かを判別する未記録・記録判別手段と、前記ＲＦ信号検出手段で検出された値より変調度を算出する変調度演算手段と、消去パワーＯＰＣ時の下地記録パワーを算出する下地記録パワー演算手段と、レーザーパワーを階段状に出力する階段発光処理手段と、適切な記録パワーを決定する最適記録パワー演算手段と、を備えたので、下地記録領域の記録品質をデータ記録する領域の記録品質に合わせた状態で消去パワーＯＰＣを行うことにより、実際のデータ記録領域に上書きする場合でも最適な消去パワーが求まり、安定した記録品質を実現することができる。
【００２０】
また、本発明によれば、下地記録領域を形成せずデータ領域にて直接消去パワーＯＰＣを実施するようにしたので、実際のデータ記録領域に上書きする場合でも最適な消去パワーが求まり、安定した記録品質を実現するとともに、処理時間も短縮できる。
【００２１】
また、本発明によれば、前記記載の信号処理装置と、前記ディスク上で情報の記録再生を行う光ピックアップと、駆動状態がＡＣ電源駆動状態かバッテリー駆動状態かを判別する駆動電源判別手段と、バッテリー駆動状態の場合、バッテリーの残量を測定するバッテリー残量確認手段と、処理を切り替えるバッテリー残量の閾値を記憶しておく記憶手段と、を備えた記録再生装置であって、前記駆動電源判別手段は、前記記録再生装置の電源状態がＡＣ電源駆動状態か、バッテリー駆動状態かを判別し、前記記載のデータ領域の記録品質を下地記録領域に再現する方法を選択するようにしたので、光ディスクへの記録に先立ち、使用する駆動電源の種類に応じて、消去パワーＯＰＣの処理時間短縮か精度重視かを選択した上で、ターゲット記録領域の品質に応じた最適な消去パワーを算出することができ、消去パワーマージンが少ない記録媒体（例えば、ＤＶＤ−ＲＷ２層ディスクなど）においても記録品質を確保することができる。
【００２２】
また、本発明によれば、前記記載の信号処理装置と、前記ディスク上で情報の記録再生を行う光ピックアップと、録画設定が予約録画か即時録画かを判別する録画設定判別手段と、２つの処理のうちどちらの処理を実行するかを記憶しておく記憶手段と、を備えた記録再生装置であって、前記録画設定判別手段は、録画設定が予約録画か即時録画かを判別し、前記記載のデータ領域の記録品質を下地記録領域に再現する方法を選択するとることにより、光ディスクへの記録に先立ち、録画設定に応じて消去パワーＯＰＣの処理時間短縮か精度重視かを選択した上で、ターゲット記録領域の品質に応じた最適な消去パワーを算出することができ、消去パワーマージンが少ない記録媒体（例えば、ＤＶＤ−ＲＷ２層ディスクなど）においても記録品質を確保することができる。
【００２３】
また、本発明によれば、前記記載の信号処理装置と、前記ディスク上で情報の記録再生を行う光ピックアップと、前記ディスクから読み取ったＩＤと変調度と変調度・パワー関係式を保存しておく記憶手段と、前記ディスクの管理領域に記載されてあるディスクＩＤ
情報を検出するディスクＩＤ情報判別手段と、を備えた記録再生装置であって、前記ディスクＩＤ情報判別手段は、前記ディスクの管理領域に記載されてあるディスクＩＤ情報を検出し、前記記載のデータ領域の記録品質を下地記録領域に再現する方法を選択することにより、光ディスクへの記録に先立ち、ターゲット記録領域の品質に応じた最適な消去パワーを算出することができ、消去パワーマージンが少ない記録媒体（例えば、ＤＶＤ−ＲＷ２層ディスクなど）においても記録品質を確保することができる。また、同じＩＤのディスクが装着された場合は消去パワーＯＰＣの時間短縮ができる。
【００２４】
また、本発明によれば、前記記載の信号処理装置と、前記ディスク上で情報の記録再生を行う光ピックアップと、変調度と変調度・パワー関係式を保存しておく記憶手段と、前記ディスクの装着、抜き出しの有無を検出するディスク着脱情報判別手段と、を備えた記録再生装置であって、前記ディスク着脱情報判別手段は、トレイのオープンクローズによりディスクの着脱の有無を判別し、前記記載のデータ領域の記録品質を下地記録領域に再現する方法を選択することにより、光ディスクへの記録に先立ち、ターゲット記録領域の品質に応じた最適な消去パワーを算出することができ、消去パワーマージンが少ない記録媒体（例えば、ＤＶＤ−ＲＷ２層ディスクなど）においても記録品質を確保することができる。また、ディスクが着脱されない場合は消去パワーＯＰＣの時間短縮ができる。
【００２５】
また、本発明によれば、前記記載の信号処理装置と、前記ディスク上で情報の記録再生を行う光ピックアップと、前記ディスクの経年劣化に伴う前記ディスクの有効期限を判別する有効期限判別手段と、前記ディスクから読み取ったＩＤと変調度と変調度・パワー関係式と前記ディスクの有効期限を保存しておく記憶手段と、を備えた記録再生装置であって、前記有効期限判別手段は、前記ディスクの経年劣化に伴う前記ディスクの有効期限を検出して前記記載の変調度とパワー関係式を再計算するかしないかを判別することにより、経年変化が生じても光ディスクへの記録に先立ち、ターゲット記録領域の品質に応じた最適な消去パワーを算出することができ、消去パワーマージンが少ない記録媒体（例えば、ＤＶＤ−ＲＷ２層ディスクなど）においても記録品質を確保することができる。また、光ディスクの有効期限を設定することにより記憶手段の使用量削減ができる。
【００２６】
また、本発明によれば、前記記載の信号処理装置と、前記ディスク上で情報の記録再生を行う光ピックアップと、光ピックアップの温度を測定する温度測定手段と、前記ディスクから読み取ったＩＤと変調度と変調度・パワー関係式と前記温度測定手段で測定した消去パワーＯＰＣ時の温度を保存しておく記憶手段と、前記温度測定手段からの温度情報により記録再生装置の制御方法を決定する温度判別手段と、を備えた記録再生装置であって、前記温度判別手段は、前記温度測定手段からの温度情報により前記記載の変調度の測定の実施の有無、前記記載の変調度とパワー関係式を再計算の有無を判別することにより、光ディスクへの記録に先立ち、記録開始時の温度が変化してもターゲット記録領域の品質に応じた最適な消去パワーを算出することができ、消去パワーマージンが少ない記録媒体（例えば、ＤＶＤ−ＲＷ２層ディスクなど）においても記録品質を確保することができる。また、記録開始時の温度が予め決められた範囲内であれば消去パワーＯＰＣの時間が短縮される。
【発明を実施するための最良の形態】
【００２７】
以下、本発明を実施するための最良の形態について、図面を参照しながら説明する。
【００２８】
（実施の形態１）
図２は本実施の形態に係る記録制御を実行する光ディスク装置の構成図である。
【００２９】
以下に本実施の形態の構成について図２を用いて説明する。２０１は光ディスク２００にレーザー光を発光するレーザーダイオード（ＬＤ）、光ディスクから反射されるレーザ
ー光を検出するフォトディテクタ及びＬＤ出力のレーザー光自体を受光する前光フォトディテクタ（両フォトディテクタをまとめて受光素子とする）を有する光ピックアップであり、２０２は光ピックアップ２０１の受光素子で光電変換された電気信号からＲＦ信号成分を検出するＲＦ信号検出手段であり、２０３はＲＦ信号検出手段２０２で検出された信号より光ディスク２００が記録済みか未記録かを判別する未記録・記録判別手段であり、２０４はＲＦ信号より図５（ｃ）の式で導出される変調度（記録品質の指標）を算出する変調度演算手段であり、２０５は変調度演算手段２０４で得られた変調度から関係式の演算や、各手段を制御するシステムコントローラーであり、２０６は変調度演算手段２０４で得られた変調度やシステムコントローラー２０５で演算された関係式などを記憶する記憶手段であり、２０７は変調度演算手段２０４の演算結果を基に下地記録の記録パワーと消去パワーを決定する下地記録パワー演算手段であり、２０８は変調度演算手段２０４の演算結果を基に最適な記録パワーと消去パワーを決定する最適記録パワー演算手段であり、２０９は図５（ｂ）に示すように記録パワー、消去パワーを階段状に出力する階段発光処理手段であり、２１０は下地記録パワー演算手段２０７及び、最適記録パワー演算手段２０８及び、階段発光処理手段２０９の算出結果を基に光ピックアップ２０１のＬＤを駆動する電流を制御するレーザー駆動ドライバであり、２１１はシステムコントローラー２０５より指定された光ディスク上の領域に光ピックアップ２０１を移動させるモーターであり、２１２は光ピックアップ２０１の受光素子よりレーザーパワー値を検出するレーザーパワー検出手段である。
【００３０】
次に図２の構成からなる光ディスク装置を用いた本実施の形態に係る記録方法について、図１のフローチャート図に沿って説明する。
【００３１】
まず、光ディスクへのデータの記録に先立ち、記録用の最適な消去パワーを算出するための調整（以下、消去パワーＯＰＣ）を開始する（Ｓ１０１）。
【００３２】
消去パワーＯＰＣの手順としてはモーター２１１を制御して光ピックアップ２０１を実際に光ディスク上のデータ記録する領域（以下ターゲット記録領域）に移動し、ターゲット記録領域における反射信号をＲＦ信号検出手段２０２で検出し、ターゲット記録領域が未記録か記録済かを未記録・記録判別手段２０３で判別する（Ｓ１０２）。
【００３３】
ターゲット記録領域が未記録の場合は光ディスク内周の管理領域（図６  ６０１）に記載されてある光ディスクメーカー推奨パワー（記録パワーと消去パワー）情報を読み出し、その光ディスクメーカー推奨パワーを下地記録パワーとして設定する（Ｓ１０３）。
【００３４】
ターゲット記録領域が記録済の場合、ターゲット記録領域の変調度を測定し（Ｓ１０４）、測定した変調度に対応したレーザーパワーを事前に記憶手段に格納された変調度・記録パワー関係式（記憶手段２０６（ｃ））より算出し、下地記録パワーとして設定する（Ｓ１０５）。
【００３５】
ここで、Ｓ１０４のターゲット記録領域の記録状態を知るために行われる変調度の測定処理について、図３のフローチャートを用いて詳細に説明する。
【００３６】
まず、モーター２１１を制御して光ピックアップ２０１をターゲット記録領域の記録開始位置に移動し、光ディスクからの反射光を光ピックアップ２０１の受光素子にて受光する。受光された反射光は電気信号に変換され、ＲＦ信号検出手段２０２にてＲＦ成分が抽出される。抽出されたＲＦ成分を基に変調度演算手段２０４にて変調度を算出する（Ｓ３０２）。この処理によりターゲット記録領域の記録開始位置での変調度が求まる。そして、算出された変調度を記憶手段２０６に記憶する（Ｓ３０３）。
【００３７】
また、Ｓ１０５の測定した変調度に対応する記録パワーを算出する処理についても、図３のフローチャートを用いて詳細に説明する。
【００３８】
まず、あらかじめ実験的に求めた変調度・記録パワー関係式とＳ３０２で測定した変調度を記憶手段２０６より読み出す（Ｓ３０５）（Ｓ３０６）。そして、下地記録パワー演算手段２０７にて、Ｓ３０６で読み出した変調度に対応する下地記録パワーをＳ３０５で読み出した変調度・記録パワー関係式（記憶手段２０６（ｃ））より算出する（Ｓ３０７）。変調度・記録パワー関係式は、事前に基準ディスクで測定し、記憶手段２０６に格納しておく。Ｓ３０７で決定された下地記録パワーをレーザー駆動ドライバＳ２１０に設定し、図６（ａ）に示す光ディスクの試し書き領域６０２に下地記録を行う（Ｓ３０８［Ｓ１０６］）。
【００３９】
以上の工程により、ターゲット記録領域と同じ状態（同じ変調度）の領域を試し書き領域に再現する。
【００４０】
以降の処理は従来の方法と同様、下地記録した領域で消去パワー階段発光を行い（Ｓ１０７）、最適記録パワー演算手段２０８にて最適な消去パワーを決定し（Ｓ１０８）、記録パワーＯＰＣを実行し（Ｓ１０９）、本番のデータ記録を行う（Ｓ１１０）。
【００４１】
以上の動作により、光ディスクへの記録に先立ち、ターゲット記録領域の品質に応じた最適な消去パワーを算出することができ、消去パワーマージンが少ない記録媒体（例えば、ＤＶＤ−ＲＷ２層ディスクなど）においても記録品質を確保することができる。
【００４２】
以上、各実施の形態では図２の構成からなる光ディスク装置を用いて本発明を説明したが、本発明を実施するにあたり必要なハードウェア構成は必ずしもこの構成に限定されるものではなく、本発明の機能を実現する上で必要な構成を有していれば構わない。
【００４３】
（実施の形態２）
次に、本実施の形態２に係る光ディスク装置およびその記録方法について説明する。尚、実施の形態２における光ディスク装置の構成は、実施の形態１と同様であるため、説明を省略する。
【００４４】
実施形態２は、図１の変調度測定処理Ｓ１０４、下地記録パワー決定処理Ｓ１０５以外は実施形態１と同じ処理であるため、変調度測定処理Ｓ１０４と下地記録パワー決定処理１０５についてのみ図４のフローチャートを用いて説明する。
【００４５】
まず、ターゲット記録領域の記録状態を知るために変調度の測定を行う（Ｓ４００）。
【００４６】
システムコントローラー２０５にて光ディスク上の記録領域を分割し、Ｚｏｎｅを決定する（Ｓ４０１）。
【００４７】
次にモーター２１１を制御して光ピックアップ２０１をＳ４０１で決定されたＺｏｎｅに移動し、光ディスクからの反射光を光ピックアップ２０１の受光素子にて受光する（Ｓ４０２）。
【００４８】
受光された反射光は電気信号に変換され、ＲＦ信号検出手段２０２にてＲＦ成分が抽出される。抽出されたＲＦ成分を基に変調度演算手段２０４にて変調度を算出する。この処理をＳ４０１で決定されたＺｏｎｅごとに実施する（Ｓ４０３）。
【００４９】
以上の処理により各Ｚｏｎｅでの変調度が求まる。算出された各Ｚｏｎｅの変調度は、
記憶手段２０６に記憶される（Ｓ４０４）。
【００５０】
Ｓ４０３で求まった各Ｚｏｎeの変調度をシステムコントローラー２０５にて図６（ｂ）に示すようにプロファイル化する（Ｓ４０５）。
【００５１】
次に測定した変調度に対応する記録パワーを算出する（Ｓ４０６）。本処理では光ディスクごとのばらつきを吸収するために光ディスクの試し書き領域（図６（ａ）６０２）に記録パワーの階段記録を実施し、記録パワーと変調度の関係を取得する。
【００５２】
まず、モーター２１１を制御して光ピックアップ２０１を試し書き領域に移動する（Ｓ４０７）。
【００５３】
階段発光処理手段２０９にてＳ４０３で測定した各ゾーンの変調度に対応した記録パワーを事前に記憶手段に格納されている変調度・記録パワー関係式（記憶手段２０６（ｃ））を使用して算出し、レーザー駆動ドライバ２１０に設定して、階段状の記録を実施する（Ｓ４０８）。
【００５４】
Ｓ４０８での記録中に発光パワー検出部２１２で記録パワーと消去パワーを検出し、記憶手段２０６に格納する（Ｓ４０９）。
【００５５】
Ｓ４０８で階段状に記録した領域からの反射光をＲＦ信号検出手段２０２にてＲＦ信号を抽出し、変調度演算手段２０４にて変調度を演算し、記憶手段２０６に格納する（Ｓ４１０）。
【００５６】
Ｓ４０９で測定した記録パワーの値とＳ４０３で測定した変調度の値を記憶手段２０６より読み出し、変調度・パワー関係式を算出し、変調度・パワー関係式（最新値）２０６（ｄ）として記憶手段２０６に記憶する（Ｓ４１１）。
【００５７】
次にS４１１で求まった変調度・記録パワーの関係式とＳ４０４で測定した変調度を記憶手段２０６より読み出す（Ｓ４１２）（Ｓ４１３）。
【００５８】
下地記録パワー演算手段２０７にて読み出したＺｏｎｅごとの変調度に対応する下地記録パワーをＳ４１１で求まった変調度・記録パワー関係式２０６（ｄ）より算出する（Ｓ４１４）。
【００５９】
Ｓ４１４で決定されたＺｏｎｅごとの下地記録パワーをレーザー駆動ドライバＳ２１０に設定し、光ディスクの試し書き領域に下地記録を行う（Ｓ４１５）。
【００６０】
以上の工程により、ターゲット記録領域と同じ状態（同じ変調度）の領域を試し書き領域で再現する。
【００６１】
以降の処理は実施の形態１と同様である。
【００６２】
なお、図４に示す記録領域のＺｏｎｅ分割（Ｓ４０１）の処理は必ずしもこの通りではなく、図６（ａ）記載の光ディスク内周の管理領域６０１に記録されている記録開始位置の情報に応じてＺｏｎｅを分割することも可能である。
【００６３】
さらに、図４に示すシステムコントローラー２０５で実施される各Ｚｏｎｅのプロファイル化（Ｓ４０５）の処理は必ずしもこの通りではなく、各Ｚｏｎｅの変調度を平均化する処理、または各Ｚｏｎｅの変調度を近似式化する処理に代替することも可能である。
【００６４】
以上の動作により、光ディスクへの記録に先立ち、光ディスク全面に対してターゲット記録領域の品質に応じた最適な消去パワーを算出することができ、消去パワーマージンが少ない記録媒体（例えば、ＤＶＤ−ＲＷ２層ディスクなど）においても記録品質を確保することができる。
【００６５】
以上、各実施の形態では図２の構成からなる光ディスク装置を用いて本発明を説明したが、本発明を実施するにあたり必要なハードウェア構成は必ずしもこの構成に限定されるものではなく、本発明の機能を実現する上で必要な構成を有していれば構わない。
【００６６】
（実施の形態３）
次に、本実施の形態３に係る光ディスク装置およびその記録方法について説明する。尚、実施の形態３における光ディスク装置の構成は、実施の形態１と同様であるため、説明を省略する。
【００６７】
実施の形態３は、データ領域にて消去パワーＯＰＣすることにより、図１の変調度測定処理Ｓ１０４、下地記録パワー決定処理Ｓ１０５と下地記録処理Ｓ１０６の処理を削減したものである。上記の処理以外は実施形態１と同じ処理である。
【００６８】
次に図２の構成からなる光ディスク装置を用いた本実施の形態に係る記録方法について、図７のフローチャート図に沿って説明する。
【００６９】
まず、光ディスクへのデータの記録に先立ち、記録用の最適な消去パワーを算出するための調整（以下、消去パワーＯＰＣ）を開始する（Ｓ７０１）。
【００７０】
消去パワーＯＰＣの手順としてはモーター２１１を制御して光ピックアップ２０１を実際に光ディスク上のデータ記録する領域（以下ターゲット記録領域）に移動し、ターゲット記録領域における反射信号をＲＦ信号検出手段２０２で検出し、ターゲット記録領域が未記録か記録済かを未記録・記録判別手段２０３で判別する（Ｓ７０２）。
【００７１】
ターゲット記録領域が未記録の場合は光ディスク内周の管理領域（図６  ６０１）に記載されてある光ディスクメーカー推奨パワー（記録パワーと消去パワー）情報を読み出す（Ｓ７０３）。
【００７２】
その光ディスクメーカー推奨パワーを下地記録パワーとして設定し、下地記録を行う（Ｓ７０４）。
【００７３】
以降の処理は従来の方法と同様、下地記録した領域で消去パワー階段発光を行い（Ｓ７０６）、最適記録パワー演算手段２０８にて最適な消去パワーを決定し（Ｓ７０７）、記録パワーＯＰＣを実行し（Ｓ７０８）、本番のデータ記録を行う（Ｓ７０９）。
【００７４】
ターゲット記録領域が記録済の場合、ターゲット記録領域で留まり（Ｓ７０５）、
ターゲット記録領域で消去パワー階段発光を行い（Ｓ７０６）、最適記録パワー演算手段２０８にて最適な消去パワーを決定し（Ｓ７０７）、記録パワーＯＰＣを実行し（Ｓ７０８）、本番のデータ記録を行う（Ｓ７０９）。
【００７５】
以上の動作により、光ディスクへの記録に先立ち、ターゲット記録領域の品質に応じた最適な消去パワーを短時間で算出することができ、消去パワーマージンが少ない記録媒体（例えば、ＤＶＤ−ＲＷ２層ディスクなど）においても記録品質を確保することができる。
【００７６】
（実施の形態４）
次に、本発明の第４の実施の形態について説明する。
【００７７】
図９は本実施の形態に係る記録制御を実行する記録再生装置の構成図である。
【００７８】
９０１は先に説明した実施の形態１〜３のいずれかを含む光ディスク装置であり、９０２は現在使用している駆動電源がＡＣ電源かバッテリーのどちらかを判別し、また、バッテリー駆動時にはバッテリー残量に応じて処理を切り替える駆動電源判別手段であり、９０３は処理を切り替えるバッテリー残量の閾値を記憶しておく記憶手段であり、９０４はバッテリーの残量確認手段であり、９０５は記録再生装置を駆動するＡＣ電源であり、９０６は記録再生装置を駆動するバッテリーであり、９０７は光ディスクである。
【００７９】
この記録再生装置、例えば、パソコンや光ディスクレコーダーにおいて光ディスクへのデータ記録の際の消去パワーＯＰＣの実施に際して、ＡＣ電源かバッテリーのどちらの駆動電源が使用されているかを駆動電源判別手段で自動的に判別し、ＡＣ電源使用時には消去パワーＯＰＣ精度が高い実施の形態２の処理を選択し、バッテリー使用時には消去パワーＯＰＣ時間が短い実施の形態１の処理を選択する。あるいは、バッテリー使用時でも予め決定して記憶手段に保存しておいたバッテリー残量に応じて消去パワーＯＰＣ精度の高い実施の形態２の処理か、消去パワーＯＰＣ時間の短い実施の形態１の処理を自動的に選択しても良い。処理の選択を行うバッテリー残量は記録再生装置のユーザーが決定して記憶手段に保存しておいても良い。以上の説明では消去パワーＯＰＣの選択を自動で行うようにしたが、記録再生装置のユーザーが予め消去パワーＯＰＣ精度の高い実施の形態２の処理か、消去パワーＯＰＣ時間が短い実施の形態１の処理のどちらかを選択しておいても良いし、その選択結果を記憶手段に保存しておいても良い。
【００８０】
以上の動作により、光ディスクへの記録に先立ち、使用する駆動電源の種類に応じて消去パワーＯＰＣの処理時間短縮か、精度重視かを選択した上でターゲット記録領域の品質に応じた最適な消去パワーを算出することができ、消去パワーマージンが少ない記録媒体（例えば、ＤＶＤ−ＲＷ２層ディスクなど）においても記録品質を確保することができる。
【００８１】
以上、各実施の形態では図９の構成からなる記録再生装置を用いて本発明を説明したが、本発明を実施するにあたり必要なハードウェア構成は必ずしもこの構成に限定されるものではなく、本発明の機能を実現する上で必要な構成を有していれば構わない。
【００８２】
（実施の形態５）
次に、本発明の第５の実施の形態について説明する。
【００８３】
図１０は本実施の形態に係る記録制御を実行する記録再生装置の構成図である。
【００８４】
１００１は先に説明した実施の形態１〜３のいずれかを含む光ディスク装置であり、１００２は消去パワーＯＰＣ精度が高い実施の形態２の処理か消去パワーＯＰＣ時間の短い実施の形態１の処理のどちらの消去パワーＯＰＣを実施するかを選択する、あるいは記憶手段に保存されている消去パワーＯＰＣの実施を光ディスク装置に指示する録画設定判別手段であり、１００３は消去パワーＯＰＣ精度が高い実施の形態２の処理か消去パワーＯＰＣ時間の短い実施の形態１の処理のどちらの消去パワーＯＰＣを実施するかを保存しておく記憶手段であり、１００４は光ディスクである。
【００８５】
この記録再生装置、例えば、光ディスクレコーダーにおいて予め決まった日時に光ディ
スクにデータ記録する場合は先述の決まった時刻よりも早めに起動して、光ディスク装置の消去パワーＯＰＣ実施の際に録画設定判別手段によって消去パワーＯＰＣ精度の高い実施の形態２の処理が選択され、予め光ディスクにデータ記録する日時が決まっておらず、すぐに光ディスクにデータ記録したい場合は消去パワーＯＰＣ時間が短い実施の形態１の処理が自動的に選択される。あるいは記録再生装置のユーザーが予め消去パワーＯＰＣ精度の高い実施の形態２の処理か、消去パワーＯＰＣ時間が短い実施の形態１の処理のどちらかを選択して、その情報を記憶手段に保存しておいても良い。
【００８６】
以上の動作により、光ディスクへの記録に先立ち、録画設定に応じて消去パワーＯＰＣの処理時間短縮か、精度重視かを選択した上でターゲット記録領域の品質に応じた最適な消去パワーを算出することができ、消去パワーマージンが少ない記録媒体（例えば、ＤＶＤ−ＲＷ２層ディスクなど）においても記録品質を確保することができる。
【００８７】
以上、各実施の形態では図１０の構成からなる記録再生装置を用いて本発明を説明したが、本発明を実施するにあたり必要なハードウェア構成は必ずしもこの構成に限定されるものではなく、本発明の機能を実現する上で必要な構成を有していれば構わない。
【００８８】
（実施の形態６）
次に、本発明の第６の実施の形態について説明する。
【００８９】
図１１は本実施の形態に係る記録制御を実行する記録再生装置の構成図である。
【００９０】
１１０１は先に説明した実施の形態１〜３のいずれかを含む光ディスク装置であり、１１０２は光ディスクから読み取ったＩＤと変調度と変調度・パワー関係式を保存しておく記憶手段であり、１１０３は光ディスクから読み取ったＩＤが記憶手段１１０３内のＩＤと一致しているか判断するディスクＩＤ情報判別手段であり、１１０４は光ディスクである。
【００９１】
この記録再生装置において新たに装着された光ディスクから読み出したＩＤと、記憶手段に保存してあるＩＤが一致しているかをディスクＩＤ判別手段で判断し、同じＩＤの光ディスクが装着された場合、光ディスク装置で新たな消去パワーＯＰＣは実施せずに記憶手段に保存しておいた変調度・パワー関係式を使用する。異なるＩＤの光ディスクが装着された場合、新たに消去パワーＯＰＣを実施し、その変調度・パワー関係式と変調度と光ディスクＩＤを記憶手段に保存しておく。変調度と変調度・パワー関係式は光ディスク上に保存しておいても良い。
【００９２】
以上の動作により、光ディスクへの記録に先立ち、ターゲット記録領域の品質に応じた最適な消去パワーを算出することができ、消去パワーマージンが少ない記録媒体（例えば、ＤＶＤ−ＲＷ２層ディスクなど）においても記録品質を確保することができる。また、同じＩＤのディスクが装着された場合は消去パワーＯＰＣの時間短縮ができる。
【００９３】
以上、各実施の形態では図１１の構成からなる記録再生装置を用いて本発明を説明したが、本発明を実施するにあたり必要なハードウェア構成は必ずしもこの構成に限定されるものではなく、本発明の機能を実現する上で必要な構成を有していれば構わない。
【００９４】
（実施の形態７）
次に、本発明の第７の実施の形態について説明する。
【００９５】
図１２は本実施の形態に係る記録制御を実行する記録再生装置の構成図である。
【００９６】
１２０１は先に説明した実施の形態１〜３のいずれかを含む光ディスク装置であり、１２０２は光ディスクの着脱情報を判別するディスク着脱情報判別手段であり、１２０３は変調度と変調度・パワー関係式を保存しておく記憶手段であり、１２０４は光ディスクである。
【００９７】
この記録再生装置において光ディスク装置は消去パワーＯＰＣの際、ディスク着脱情報判別手段が、例えばトレイの開閉などにより光ディスクの着脱情報から光ディスクが着脱されていないと判断した場合は、新たな消去パワーＯＰＣは実施せずに記憶手段に保存しておいた変調度・パワー関係式を使用する。光ディスクが着脱された場合、新たに消去パワーＯＰＣを実施し、その変調度・パワー関係式と変調度を記憶手段に保存しておく。変調度と変調度・パワー関係式は光ディスク上に保存しておいても良い。
【００９８】
以上の動作により、光ディスクへの記録に先立ち、ターゲット記録領域の品質に応じた最適な消去パワーを算出することができ、消去パワーマージンが少ない記録媒体（例えば、ＤＶＤ−ＲＷ２層ディスクなど）においても記録品質を確保することができる。また、ディスクが着脱されない場合は消去パワーＯＰＣの時間短縮ができる。
【００９９】
以上、各実施の形態では図１２の構成からなる記録再生装置を用いて本発明を説明したが、本発明を実施するにあたり必要なハードウェア構成は必ずしもこの構成に限定されるものではなく、本発明の機能を実現する上で必要な構成を有していれば構わない。
【０１００】
（実施の形態８）
次に、本発明の第８の実施の形態について説明する。
【０１０１】
図１３は本実施の形態に係る記録制御を実行する記録再生装置の構成図である。
【０１０２】
１３０１は先に説明した実施の形態１〜３のいずれかを含む光ディスク装置であり、１３０２は光ディスクの有効期限情報を判別する有効期限判別手段であり、１３０３は光ディスクから読み取ったＩＤと変調度と変調度・パワー関係式と光ディスクの有効期限を保存しておく記憶手段であり、１３０４は光ディスクである。
【０１０３】
この記録再生装置において次に記憶手段に保存してあるＩＤと同じＩＤの光ディスクが装着された場合、光ディスク装置の消去パワーＯＰＣの時は記憶手段に保存してあるそのＩＤに対する有効期限を有効期限判別手段で判別し、有効期限内の場合、新たな消去パワーＯＰＣは実施せずに記憶手段に保存しておいた変調度・パワー関係式を使用する。有効期限外の場合、新たに消去パワーＯＰＣを実施し、その変調度・パワー関係式と変調度と新たな有効期限と光ディスクＩＤを記憶手段に保存しておく。変調度と変調度・パワー関係式と有効期限は光ディスク上に保存しておいても良い。
【０１０４】
以上の動作により、経年変化が生じても光ディスクへの記録に先立ち、ターゲット記録領域の品質に応じた最適な消去パワーを算出することができ、消去パワーマージンが少ない記録媒体（例えば、ＤＶＤ−ＲＷ２層ディスクなど）においても記録品質を確保することができる。また、光ディスクの有効期限を設定することにより記憶手段の使用量削減ができる。
【０１０５】
以上、各実施の形態では図１３の構成からなる記録再生装置を用いて本発明を説明したが、本発明を実施するにあたり必要なハードウェア構成は必ずしもこの構成に限定されるものではなく、本発明の機能を実現する上で必要な構成を有していれば構わない。
【０１０６】
（実施の形態９）
次に、本発明の第９の実施の形態について説明する。
【０１０７】
図１４は本実施の形態に係る記録制御を実行する記録再生装置の構成図である。
【０１０８】
１４０１は先に説明した実施の形態１〜３のいずれかを含み、図示していない温度測定手段を有する光ディスク装置であり、１４０２は光ディスクから読み取ったＩＤと変調度と変調度・パワー関係式と光ディスク装置の（図示していない）温度測定手段で測定した消去パワーＯＰＣ時の温度を保存しておく記憶手段であり、１４０３は光ディスク装置の（図示していない）温度測定手段で測定して記憶手段に保存しておいた前回の消去パワーＯＰＣ時の温度と、今回の消去パワーＯＰＣ直前の温度が予め決定しておいた温度範囲内かを判別する温度判別手段であり、１４０４は光ディスクである。
【０１０９】
この記録再生装置において次に装着された光ディスクのＩＤと記憶手段に保存してあるＩＤが同じ場合、光ディスク装置の消去パワーＯＰＣの時は記憶手段に保存してあるそのＩＤに対する前回消去パワーＯＰＣ時の温度を記憶手段から読み出し、その温度が予め決定しておいた温度範囲内の場合、新たな消去パワーＯＰＣは実施せずに記憶手段に保存しておいた変調度・パワー関係式を使用する。予め決定しておいた温度範囲外の場合、新たに消去パワーＯＰＣを実施し、その変調度・パワー関係式と変調度と消去パワーＯＰＣ時の温度と光ディスクＩＤを記憶手段に保存しておく。変調度と変調度・パワー関係式と消去パワーＯＰＣ時の温度は光ディスク上に保存しておいても良い。
【０１１０】
以上の動作により、光ディスクへの記録に先立ち、記録開始時の温度が変化してもターゲット記録領域の品質に応じた最適な消去パワーを算出することができ、消去パワーマージンが少ない記録媒体（例えば、ＤＶＤ−ＲＷ２層ディスクなど）においても記録品質を確保することができる。また、記録開始時の温度が予め決められた範囲内であれば消去パワーＯＰＣの時間が短縮される。
【０１１１】
以上、各実施の形態では図１４の構成からなる記録再生装置を用いて本発明を説明したが、本発明を実施するにあたり必要なハードウェア構成は必ずしもこの構成に限定されるものではなく、本発明の機能を実現する上で必要な構成を有していれば構わない。
【産業上の利用可能性】
【０１１２】
本発明にかかる信号処理装置、光ディスク装置および信号処理方法は、実際のデータ記録領域に上書きする場合でも最適な消去パワー学習結果が求まり、安定した記録品質を実現することができるので、光ディスク装置等として有用である。
【図面の簡単な説明】
【０１１３】
【図１】本発明に係るフローチャート
【図２】本発明に係る光ディスク信号処理装置の構造図
【図３】本発明第１の実施の形態に係るフローチャート
【図４】本発明第２の実施の形態に係るフローチャート
【図５】（ａ）ＤＶＤ−ＲＷの記録波形図（ｂ）消去パワー階段発光図（ｃ）変調度演算式を示す図
【図６】（ａ）光ディスク領域の説明図（ｂ）本発明第２の実施の形態に係るＺｏｎｅ分割による変調度プロファイル化の図（ｃ）変調度・記録パワーの関係図
【図７】本発明第３の実施の形態に係るフローチャート
【図８】従来例に係るフローチャート
【図９】本発明第４の実施の形態に係る記録再生装置の構造図
【図１０】本発明第５の実施の形態に係る記録再生装置の構造図
【図１１】本発明第６の実施の形態に係る記録再生装置の構造図
【図１２】本発明第７の実施の形態に係る記録再生装置の構造図
【図１３】本発明第８の実施の形態に係る記録再生装置の構造図
【図１４】本発明第９の実施の形態に係る記録再生装置の構造図
【符号の説明】
【０１１４】
２００  光ディスク
２０１  光ピックアップ
２０２  ＲＦ信号検出手段
２０３  未記録・記録判別手段
２０４  変調度演算手段
２０５  システムコントローラー
２０６  記憶手段
２０７  下地記録パワー演算手段
２０８  最適記録パワー演算手段
２０９  階段発光処理手段
２１０  レーザー駆動ドライバ
２１１  モーター
２１２  レーザーパワー検出手段
５０１  記録パワー
５０２  消去パワー
６０１  ディスク管理領域
６０２  試し書き領域
６０３  データ領域
６０４  変調度と記録パワーの関係を示す近似曲線（または近似直線）
９０１  光ディスク装置
９０２  駆動電源判別手段
９０３  記憶手段
９０４  バッテリー残量確認手段
９０５  ＡＣ電源
９０６  バッテリー
９０７  光ディスク
１００１  光ディスク装置
１００２  録画設定判別手段
１００３  記憶手段
１００４  光ディスク
１１０１  光ディスク装置
１１０２  記憶手段
１１０３  ディスクＩＤ情報判別手段
１１０４  光ディスク
１２０１  光ディスク装置
１２０２  ディスク着脱情報判別手段
１２０３  記憶手段
１２０４  光ディスク
１３０１  光ディスク装置
１３０２  有効期限判別手段
１３０３  記憶手段
１３０４  光ディスク
１４０１  光ディスク装置
１４０２  記憶手段
１４０３  温度判別手段
１４０４  光ディスク
【図１】
2010015609.tif 000003
【図２】
2010015609.tif 000004
【図３】
2010015609.tif 000005
【図４】
2010015609.tif 000006
【図５】
2010015609.tif 000007
【図６】
2010015609.tif 000008
【図７】
2010015609.tif 000009
【図８】
2010015609.tif 000010
【図９】
2010015609.tif 000011
【図１０】
2010015609.tif 000012
【図１１】
2010015609.tif 000013
【図１２】
2010015609.tif 000014
【図１３】
2010015609.tif 000015
【図１４】
2010015609.tif 000016